(57)【要約】      （修正有）【課題】現場打ちであるために市販の規格品の溝蓋が適合しないＵ字溝に合わせた任意の寸法のコンクリート製溝蓋を製造するための型枠であって、Ｕ字溝がある現場まで容易に運搬し、容易に組立てることができ、溝蓋の製造後は容易に分解して持ち帰ることができる寸法可変の可変型枠を提供する。【解決手段】２枚の帯状の金属製の縦側板１と２枚の横側板２が井桁状に組み合わされ、それぞれの板の一端にロックボックス３が付設されているコンクリート製溝蓋成型用の可変型枠において、ロックボックス３には隣接する縦側板１または横側板２を挿入するスリットが設けられ、ロックカムと一体として組み込まれたロックレバー４を上向きに回転させてスリットに挿入された縦側板１または横側板２を固定し、成型後は水平方向に押し下げて解除できるように構成した。【選択図】図２
0003208309.tif 000002
【実用新案登録請求の範囲】
【請求項１】
２枚の帯状の金属製の縦側板１と２枚の横側板２によって構成される基本体において、それぞれの前記縦側板１と前記横側板２の一端はストレートであって他端には前記縦側板１または前記横側板２のストレート部を挿入するためのスリット９及びロックカム軸１１を支点として９０度回転させることができるレバー４と一体になったロックカム１０が取り付けられたロックボックス３が搭載され、前記縦側板１と前記横側板２のストレート部を隣接する前記横側板２または前記縦側板１の前記スリット９に挿入して井桁状に組み込み、前記ロックボックス３に組み込まれた前記レバー４を水平位置から垂直位置に回転させると前記スリット９に挿入された前記縦側板１と前記横側板２が前記ロックボックス３の内壁と前記ロックカム１０の間に挟まれて固定され、しかも前記縦側板１と前記横側板２が固定される位置を任意に設定できるように構成したコンクリート製溝蓋成型用の可変型枠。
【請求項２】
請求項１に記載のコンクリート製溝蓋用の可変型枠において、横側板２にスライド可能で内部にロックカム１０を有する把持用凹欠部ボックス５を載せて、把持用凹欠部ボックス５内に組み込まれたロックレバー６を垂直に回転させて、把持用凹欠部ボックス５の内壁とロックカム１０の間に縦側板１と横側板２を挟みこんで固定し、把持用凹欠部ボックス５を任意の位置に設置するように構成したコンクリート製溝蓋成型用の可変型枠。
【請求項３】
請求項１に記載のコンクリート製溝蓋用の可変型枠において、縦側板１と横側板２の下端面に逆Ｔ字形に金属製台座板７を固着して、組立時や脱型時に、縦側板１と横側板２を垂直に保持できるように構成したコンクリート製溝蓋成型用の可変型枠。
【考案の詳細な説明】
【技術分野】
【０００１】  本考案は、任意の寸法のＵ字溝用コンクリート製溝蓋を製造するための寸法可変型の型枠に関するものであり、特に、現場で市販の規格品の溝蓋が適合しないＵ字溝用の溝蓋を製造するための、寸法可変型の型枠に関する。
【背景技術】
【０００２】  従来のコンクリート製溝蓋は、生産性を高めるために傾斜角などの最適化が施されているが、数ＣＭから十数ＣＭ刻みの固定寸法タイプであるため、現場打ちのＵ字溝にはうまく合わないことが多い。さらに、製造用の型枠は分解できる構造でないために、現場への運搬が難しい。
【先行技術文献】
【特許文献】
【０００３】
【特許文献１】特開２００８−１５０９０９
【考案の概要】
【考案が解決しようとする課題】
【０００４】  本考案の目的は、現場打ちであるために市販の規格品の溝蓋が適合しないＵ字溝に合わせた任意の寸法のコンクリート製甲蓋を製造するための可変型枠を提供することであり、Ｕ字溝がある現場まで容易に運搬でき、容易に組立てることができ、溝蓋の製造後は容易に分解して持ち帰ることができる寸法可変の型枠を提供することである。
【課題を解決するための手段】
【０００５】  本考案の可変型枠は、２枚の帯状の金属製の縦側板と２枚の横側板によって構成される基本体において、それぞれの縦側板と横側板の一端はストレートであって他端には縦側板または横側板のストレート部を挿入するためのスリット及びロックカム軸を支点として９０度回転させることができるレバーと一体になったロックカムが取り付けられたロックボックスが搭載され、縦側板と横側板のストレート部を隣接する横側板または縦側板のスリットに挿入して井桁状に組み込み、ロックボックスに組み込まれたレバーを水平位置から垂直位置に回転させるとスリットに挿入された縦側板と横側板がロックボックスの内壁とロックカムの間に挟まれて固定され、しかも縦側板と横側板が固定される位置を任意に設定できるように構成した。【０００６】  さらに、コンクリート製溝蓋用の可変型枠は横側板に、スライド可能で内部にロックカムを有する把持用凹欠部ボックスを載せて、把持用凹欠部ボックス内に組み込まれたロックレバーを垂直になるまで回転させて、把持用凹欠部ボックスの内壁とロックカムの間に縦側板と横側板を挟みこんで固定し、把持用凹欠部ボックスを任意の位置に設置するように構成する。【０００７】  また、前述のコンクリート製溝蓋用の可変型枠において、縦側板と横側板の下端面にＴ字形に金属製台座板を固着して、組立時や脱型時に、縦側板と横側板を垂直に保持できる構成にする。
【考案の効果】
【０００８】  本考案の可変型枠によって、２枚の帯状の金属製の縦側板と２枚の横側板を任意の寸法で井桁状に組み合わされ、それぞれの板に付設されているロックボックスに組み込まれたロックレバーによって、ロックボックスのスリットに挿入された縦側板または横側板が任意の位置で容易に固定でき、解除もできる。【０００９】  また、横側板に搭載される、スライド可能で内部にロックカムを有する把持用凹欠部ボックスによって、把持用凹欠部ボックスを任意の位置に固定させることができるため、把持用凹欠部を横方向の中央部に作ることができる。【００１０】  さらに、縦側板と横側板の下端面にＴ字形に金属製台座板を固着することにより、組立時や脱型時に、縦側板と横側板を垂直に保持でき、型枠の組立や分解が容易にでき、可搬性能が高まる。
【図面の簡単な説明】
【００１１】
【図１】本考案の実施例に関する組み立て図（立体図）である。
【図２】本考案の実施例に関する平面図（Ａ）、正面図（Ｂ）、側面図（Ｃ）である。
【図３】本考案の実施例のロックカムボックスの、ロックカムを水平にしてロックを解除した状態図（Ａ）とロックカムを垂直にして固定した状態図（Ｂ）である。
【図４】本考案の縦側板または横側板の正面図（Ａ）、側面図（Ｂ）である。
【考案を実施するための形態】
【００１５】  本考案の実施の形態を以下図１から図４に従って説明する。
【００１６】  図１は組み立てた状態の立体図であり、２枚の縦側板１と２枚の横側板２が井桁状に組まれているが、各側板の一端には隣接する側板を固定するためにロックボックス３が付設してある。各側板の、ロックボックス３の反対側の端部をロックカムボックス３のスリット９に挿入し、寸法を調整した後でロックボックス３に組み込まれたロックレバー４を垂直になるまで回転させて、ロックカム１０の力を利用して固定できる。この後で、成型するコンクリート製溝蓋の底面形状に合わせて前もって準備した底板を各側板の下端部に付設した４か所の金属製台座板７に載せる。
【００１７】  さらに、把持用凹部ボックス５を横側板２に載せてスライドさせて位置合わせをした後、把持用凹部ロックレバー６を上方に持ち上げて、前記ボックス内部のロックカムの力を利用して、把持用凹部ボックス５を固定する。
【００１８】  前述可変型枠を組み立てた後は、可変型枠の内側のコンクリート充填部８にコンクリートを充填し、コンクリート溝蓋を成型する。成型後はロックカムレバー４を横方向に押し下げて各側板を緩め、成型したコンクリート溝蓋を脱型する。
【符号の説明】
【００１９】  １…縦側板、２…横側板、３…ロックボックス、４…ロックレバー、５…把持用凹部ボックス、６…把持用凹欠部ロックレバー、７…金属製台座板、８…コンクリート充填部、９…挿入用スリット、１０…ロックカム、１１…ロックカム軸
【図１】
0003208309.tif 000003
【図２】
0003208309.tif 000004
【図３】
0003208309.tif 000005
【図４】
0003208309.tif 000006